(57)【要約】【課題】複数の記録媒体にアクセス可能な記録再生装置において、記録媒体を有効利用するための仕組みを提供する。【解決手段】第１の記録媒体に対して第１の情報データを記録再生する第１の記録再生部１０５と、第２の記録媒体に対して第２の情報データを記録再生する第２の記録再生部１０７と、第１の記録媒体に記録された情報データを他の装置にて再生可能とするための終了処理が第１の記録媒体に対して指示されたことに応じて、第２の情報データを第１の記録媒体に記録し、その後第１の記録媒体に対する終了処理を実行するように、第１の記録再生部と第２の記録再生部とを制御する制御部１０４とを備える。【選択図】      図１
2006196081.tif 000002
【特許請求の範囲】
【請求項１】
第１の記録媒体に対して第１の情報データを記録再生する第１の記録再生手段と、
第２の記録媒体に対して第２の情報データを記録再生する第２の記録再生手段と、
前記第１の記録媒体に記録された情報データを他の装置にて再生可能とするための終了処理が前記第１の記録媒体に対して指示されたことに応じて、前記第２の情報データを前記第１の記録媒体に記録し、その後前記第１の記録媒体に対する前記終了処理を実行するように、前記第１の記録再生手段と第２の記録再生手段とを制御する制御手段と、
を備えることを特徴とする記録再生装置。
【請求項２】
前記第１の記録媒体と前記第２の記録媒体とは、異なる種類の記録媒体であることを特徴とする請求項１に記載の記録再生装置。
【請求項３】
前記終了処理が指示された場合に、前記第１の記録媒体の空き容量と前記第２の記録媒体の情報データの容量とを表示する表示手段をさらに備えることを特徴とする請求項１に記載の記録再生装置。
【請求項４】
前記終了処理を実行する前に、前記第２の記録媒体の情報データを前記第１の記録媒体に記録するか否かをユーザに選択させるための選択手段をさらに備えることを特徴とする請求項３に記載の記録再生装置。
【請求項５】
前記第２の情報データの少なくとも一部が、前記記録再生装置の記録形式に整合していない場合に、該整合していない記録形式のデータを前記記録再生装置の記録形式に整合する形式のデータに変更して、前記第１の記録媒体に記録することを特徴とする請求項１に記載の記録再生装置。
【請求項６】
前記第２の情報データの少なくとも一部が、前記記録再生装置の記録形式に整合していない場合に、前記第２の情報データのうち前記記録再生装置の記録形式に整合している情報データを優先して、前記第１の記録媒体に記録することを特徴とする請求項１に記載の記録再生装置。
【請求項７】
前記記録再生装置の記録形式とは、ＤＣＦ規格に準拠した記録形式であることを特徴とする請求項５又は６に記載の記録再生装置。
【請求項８】
前記第２の情報データのうち、前記第１の記録媒体に記録されているデータの記録日時の範囲内に記録されたデータ又は前記第１の記録媒体に記録されているデータの記録日時に近い時期に記録されたデータを優先して、前記第１の記録媒体に記録することを特徴とする請求項１に記載の記録再生装置。
【請求項９】
前記第２の情報データに前記第１の情報データと重複するフォルダ名が存在する場合に、前記第２の情報データの前記第１の情報データと重複するフォルダ名を変更して、前記第１の記録媒体に記録することを特徴とする請求項１に記載の記録再生装置。
【請求項１０】
前記制御手段は、前記第１の記録媒体の空き容量が前記第２の記録媒体に記録されている全ての前記第２の情報データを記録するために必要な容量よりも少ない場合、前記第２の記録媒体に記録されている第２の情報データより所定の条件に従って選択した第２の情報データのみを前記第１の記録媒体に記録するよう、前記第１の記録再生手段と第２の記録再生手段とを制御することを特徴とする請求項１に記載の記録再生装置。
【請求項１１】
前記制御手段は、前記第２の情報データの記録形式を前記条件として前記第１の記録媒体に記録すべき第２の情報データを選択することを特徴とする請求項１０に記載の記録再生装置。
【請求項１２】
前記制御手段は、前記第１の情報データの記録日時と前記第２の情報データの記録日時とを前記条件として前記第１の記録媒体に記録すべき第２の情報データを選択することを特徴とする請求項１０に記載の記録再生装置。
【請求項１３】
第１の記録媒体に対して第１の情報データを記録再生する第１の記録再生手段と、第２の記録媒体に対して第２の情報データを記録再生する第２の記録再生手段とを備える記録再生装置を制御する方法であって、
前記第１の記録媒体に記録された情報データを他の装置にて再生可能とするための終了処理が前記第１の記録媒体に対して指示されたことに応じて、前記第２の情報データを前記第１の記録媒体に記録し、その後前記第１の記録媒体に対する前記終了処理を実行するように、前記第１の記録再生手段と第２の記録再生手段とを制御する制御工程を備えることを特徴とする記録再生装置の制御方法。
【請求項１４】
前記第１の記録媒体と前記第２の記録媒体とは、異なる種類の記録媒体であることを特徴とする請求項１３に記載の記録再生装置の制御方法。
【請求項１５】
前記終了処理が指示された場合に、前記第１の記録媒体の空き容量と前記第２の記録媒体の情報データの容量とを表示する表示工程をさらに備えることを特徴とする請求項１３に記載の記録再生装置の制御方法。
【請求項１６】
前記終了処理を実行する前に、前記第２の記録媒体の情報データを前記第１の記録媒体に記録するか否かをユーザに選択させるための選択入力工程をさらに備えることを特徴とする請求項１５に記載の記録再生装置の制御方法。
【請求項１７】
前記制御工程では、前記第２の情報データの少なくとも一部が、前記記録再生装置の記録形式に整合していない場合に、該整合していない記録形式のデータを前記記録再生装置の記録形式に整合する形式のデータに変更して、前記第１の記録媒体に記録することを特徴とする請求項１３に記載の記録再生装置の制御方法。
【請求項１８】
前記制御工程では、前記第２の情報データの少なくとも一部が、前記記録再生装置の記録形式に整合していない場合に、前記第２の情報データのうち前記記録再生装置の記録形式に整合している情報データを優先して、前記第１の記録媒体に記録することを特徴とする請求項１３に記載の記録再生装置の制御方法。
【請求項１９】
前記記録再生装置の記録形式とは、ＤＣＦ規格に準拠した記録形式であることを特徴とする請求項１７又は１８に記載の記録再生装置の制御方法。
【請求項２０】
前記制御工程では、前記第２の情報データのうち、前記第１の記録媒体に記録されているデータの記録日時の範囲内に記録されたデータ又は前記第１の記録媒体に記録されているデータの記録日時に近い時期に記録されたデータを優先して、前記第１の記録媒体に記録することを特徴とする請求項１３に記載の記録再生装置の制御方法。
【請求項２１】
前記制御工程では、前記第２の情報データに前記第１の情報データと重複するフォルダ名が存在する場合に、前記第２の情報データの前記第１の情報データと重複するフォルダ名を変更して、前記第１の記録媒体に記録することを特徴とする請求項１３に記載の記録再生装置の制御方法。
【請求項２２】
請求項１３乃至２１のいずれか１項に記載の制御方法をコンピュータに実行させることを特徴とするプログラム。
【請求項２３】
請求項２２に記載のプログラムをコンピュータ読み取り可能に記憶したことを特徴とする記憶媒体。
【発明の詳細な説明】
【技術分野】
【０００１】
本発明は複数のメディアに対して記録・再生が可能な記録・再生装置に関し、特に光ディスクのファイナライズ時にディスクの空き容量を有効に利用するための仕組みに関する。
【背景技術】
【０００２】
従来、動画像を撮影して磁気テープに記録するビデオカメラが知られている。この種のビデオカメラにおいては、近年、メモリカードスロットを備え、磁気テープだけでなくメモリカードに対しても動画像や静止画像データを記録するものも登場している。
【０００３】
一方、近年では、磁気テープに代えて、ＤＶＤなどのディスク媒体に対して画像データを記録するビデオカメラも知られている（例えば、特許文献１参照）。ＤＶＤには、繰り返し記録が可能なディスク（ＤＶＤ−ＲＷ、ＤＶＤ−ＲＡＭなど）と、追記型のディスク（ＤＶＤ−Ｒ）とがある。ＤＶＤ−ＲやＤＶＤ−ＲＷディスクの場合、ファイナライズ（終了）処理を行うことで通常のＤＶＤビデオプレーヤにて記録した画像を再生することができるため、異なるメーカ、装置の間での互換性が高い。
【特許文献１】特開２００４−２３５６７９号公報
【発明の開示】
【発明が解決しようとする課題】
【０００４】
前述の様に、ＤＶＤ−Ｒに代表される追記型のメディアでは、一旦ファイナライズ操作を施してしまうとファイナライズ解除ができない。つまり、未使用領域が多く残っているメディアであっても、２度とデータを書き込むことはできなくなってしまう。現実的には、他の機器で再生する必要から未使用領域が多く残っているメディアに対しても、やむを得ずファイナライズ操作を行うことが頻繁に起こり得ると考えられる。
【０００５】
本発明は以上のような状況に鑑みてなされたものであり、その第１の目的は、複数の記録媒体にアクセス可能な記録再生装置において、記録媒体を有効利用するための仕組みを提供することである。
【０００６】
また、本発明の第２の目的は、再書き込み不可能なメディアに関して、空き容量を有効に利用できる仕組みを提供することである。
【課題を解決するための手段】
【０００７】
上述した課題を解決し、目的を達成するために、本発明に係わる記録再生装置は、第１の記録媒体に対して第１の情報データを記録再生する第１の記録再生手段と、第２の記録媒体に対して第２の情報データを記録再生する第２の記録再生手段と、前記第１の記録媒体に記録された情報データを他の装置にて再生可能とするための終了処理が前記第１の記録媒体に対して指示されたことに応じて、前記第２の情報データを前記第１の記録媒体に記録し、その後前記第１の記録媒体に対する前記終了処理を実行するように、前記第１の記録再生手段と第２の記録再生手段とを制御する制御手段と、を備えることを特徴とする。
【０００８】
また、本発明に係わる記録再生装置の制御方法は、第１の記録媒体に対して第１の情報データを記録再生する第１の記録再生手段と、第２の記録媒体に対して第２の情報データを記録再生する第２の記録再生手段とを備える記録再生装置を制御する方法であって、前記第１の記録媒体に記録された情報データを他の装置にて再生可能とするための終了処理が前記第１の記録媒体に対して指示されたことに応じて、前記第２の情報データを前記第１の記録媒体に記録し、その後前記第１の記録媒体に対する前記終了処理を実行するように、前記第１の記録再生手段と第２の記録再生手段とを制御する制御工程を備えることを特徴とする。
【０００９】
また、本発明に係わるプログラムは、上記の制御方法をコンピュータに実行させることを特徴とする。
【００１０】
また、本発明に係わる記憶媒体は、上記のプログラムをコンピュータ読み取り可能に記憶したことを特徴とする。
【発明の効果】
【００１１】
本発明によれば、複数の記録媒体にアクセス可能な記録再生装置において、記録媒体を有効利用するための仕組みを提供することが可能となる。
【００１２】
また、再書き込み不可能なメディアに関して、空き容量を有効に利用できる仕組みを提供することが可能となる。
【発明を実施するための最良の形態】
【００１３】
以下、本発明の好適な一実施形態について、図面を参照して詳細に説明する。
【００１４】
本実施形態は、カムコーダにおいてＤＶＤ−Ｒなどの追記型のディスクを用いて記録を行なう場合に、ファイナライズ指示操作をトリガにして、カムコーダに装着されているメモリカードのコンテンツをディスクにコピーするものである。
【００１５】
図１は本発明の一実施形態に係わるディスクカムコーダ１００の構成を示したブロック図である。
【００１６】
ディスクカムコーダ１００は、撮像部１０１と、信号処理部１０２と、フレームメモリ１０３と、ＣＰＵ１０４と、ディスクＩ／Ｆ（インターフェイス）１０５と、光ディスク１０６と、カードＩ／Ｆ（インターフェイス）１０７と、メモリカード１０８と、動画・静止画コーデック１０９と、操作部１１０と、表示部１１１とを備えている。
【００１７】
図１において、撮像部１０１は被写体像および音声を電気信号に変換するものであり、動画や静止画の撮影機能を有する。撮影時、撮像部１０１で得られた電気信号は信号処理部１０２においてＡ／Ｄ変換および適切な画像処理が施され、デジタルデータとしてフレームメモリ１０３にバッファリングされる。フレームメモリ１０３に格納されたデータは動画・静止画コーデック１０９によって圧縮され、ディスクＩ／Ｆ１０５を介して光ディスク１０６に、あるいはカードＩ／Ｆ１０７を介してメモリカード１０８に記録される。
【００１８】
操作部１１０は、ユーザが記録・再生操作や、ディスクカムコーダ１００に関する設定等を指示するためのインタフェースである。表示部１１１は撮像部１０１によって取り込まれた被写体像、あるいは光ディスク１０６やメモリカード１０８内のデータを再生するときには再生画像を表示するほか、ディスクカムコーダ１００に対するユーザ設定を行ったりするために必要な表示を行なう等の機能も有する。
【００１９】
次に、光ディスク１０６に対してファイナライズ操作を行った時のディスクカムコーダ１００の処理手順について説明する。処理手順のフローチャートを図２に示す。
【００２０】
まず、ステップＳ１において、ユーザの操作部１１０の操作によりファイナライズ動作の指示が出されると、ステップＳ２において、ＣＰＵ１０４は、カードＩ／Ｆを通じてメモリカード１０８がディスクカムコーダ１００に装着されているか否かを判断する。もし、メモリカード１０８が装着されていなければ、ステップＳ１０においてそのまま光ディスク１０６のファイナライズを実行し、装着されていればステップＳ３に進む。
【００２１】
ステップＳ３では、ＣＰＵ１０４は、カードＩ／Ｆ１０７を通じて、装着されているメモリカード１０８内のコンテンツ容量を調べる。
【００２２】
ステップＳ４では、ＣＰＵ１０４は、ディスクＩ／Ｆ１０５を通じて光ディスク１０６の空き容量を調べる。
【００２３】
そして、ステップＳ５では、図３に示すように光ディスク１０６の空き容量とメモリカードのコンテンツ容量を表示部１１１に表示するとともに、光ディスク１０６のファイナライズを実行する前に、メモリカード１０８内のデータを光ディスク１０６にコピーするか否かをユーザに問い合わせる画面を表示する。
【００２４】
ユーザは、ステップＳ５において表示部１１１に表示された情報に基づいて、メモリカード１０８内のデータを光ディスク１０６にコピーするか否かを判断する。
【００２５】
ステップＳ６では、ユーザの操作部１１０の操作により、メモリカード１０８内のデータを光ディスク１０６にコピーする指示が出されたかコピーしない指示が出されたかを判断する。そして、コピーする指示が出された場合にはステップＳ７に進み、コピーしない指示が出された場合にはステップＳ１０に進んで、そのまま光ディスク１０６のファイナライズを実行する。
【００２６】
ステップＳ７では、ＣＰＵ１０４は、光ディスク１０６の空き容量とメモリカード１０８のコンテンツ容量を比較する。その結果、光ディスク１０６の空き容量がメモリカード１０８のコンテンツ容量以上であれば、ステップＳ８に進み、メモリカード１０８内の全データを光ディスク１０６にコピーする。逆に、光ディスク１０６の空き容量がメモリカード１０８のコンテンツ容量よりも小さければ、ステップＳ９に進み、メモリカード１０８内のデータのうち、ディスクカムコーダ１００で再生可能なファイルを優先して光ディスク１０６にコピーする。
【００２７】
なお、上記で述べたディスクカムコーダ１００で再生可能なファイルとは、本実施形態では、後述するＤＣＦ規格（Design rule for Camera File system：カメラファイルシステム規格）に準拠した形式の画像ファイルを意味する。ただし、ディスクカムコーダ１００が、ＤＣＦ規格とは異なる独自の規格のファイル形式で記録を行なうものであれば、再生可能なファイルとは、その独自の規格に準拠したファイル形式のものを意味する。
【００２８】
その後、ステップＳ１０において、ＣＰＵ１０４は、光ディスク１０６のファイナライズを実行する。
【００２９】
次に、メモリカード１０８内のデータを光ディスク１０６にコピーする際のフォルダ名やファイル名の振り方について図４および図５を参照して説明する。
【００３０】
図４は、ファイルコピーを行う前のコピー元のメモリカード１０８およびコピー先の光ディスク１０６のファイル構成を示した図である。
【００３１】
コピー元のメモリカードには、図４にＡで示したようなＤＣＦ規格（カメラファイルシステム規格）に準拠した形式の画像ファイルと、Ｂで示したようなＤＣＦ規格に準拠していない画像ファイルがあるものとする。なお、ＤＣＦ規格に準拠していない画像ファイルがある理由は、画像ファイルの記録形式はメーカーによって異なる場合があり、メーカーによっては、ＤＣＦ規格とは異なる独自のファイル形式で記録を行なうことも考えられ、そのような他のメーカーのカムコーダを用いて記録したメモリーカードを消去しないまま、本実施形態のカムコーダに装着する可能性があるからである。
【００３２】
ここで、ＤＣＦ規格（カメラファイルシステム規格）について簡単に説明しておく。
【００３３】
ＤＣＦ規格では、まず、ルートディレクトリの直下にＤＣＦイメージルートディレクトリであるＤＣＩＭディレクトリが作られる。ＤＣＩＭという名前はＤＣＦ規格に基づき固定である。ＤＣＩＭディレクトリの下に複数のＤＣＦディレクトリが作られる。ＤＣＦディレクトリの命名規則は、ディレクトリ名は８文字で構成され、最初の３文字はディレクトリ番号を表し、”100”〜”999”までの数字、次の５文字は自由文字であり任意の文字列である。図４では仮にＤＣＦディレクトリ名を”100CANOC”、”101CANOC”としている。そして、ＤＣＦディレクトリの下に画像データ（図４ではＪＰＥＧデータ）が記録される。ＤＣＦ規格ではこのように規定されているため、図４にＢで示したようにルートディレクトリに直接書き込まれた画像ファイルは、ＤＣＦ規格に準拠していない画像ファイルとなる。
【００３４】
ここで説明を戻すと、光ディスク１０６に十分な空き容量があった場合（図２のステップＳ７でＹｅｓ）、ファイナライズ操作によって図４のＡ及びＢで示される画像ファイルは全て光ディスク１０８にコピーされる。しかし、コピー元のメモリカード１０８、コピー先の光ディスク１０６のいずれにも”100CANOC”というフォルダが存在するため、そのままコピーしてしまうとファイル名の重複が発生する恐れがある。このような重複を避けるため、本実施形態においては図５に示すようにファイル名の変換を行う。すなわち、メモリカード１０８の”100CANOC”というフォルダは別の名前（ここでは”101MCARD”）に設定される。また、これに続いてメモリカード１０８内の”101CANOC”というフォルダは”102MCARD”というフォルダ名に改められる。このようにすることで、別々に撮影した画像が同一フォルダ内に混在することも避けることができる。
【００３５】
さらに、図４にＢで示したＤＣＦ規格に準拠していない画像ファイルについては、図５に示すように新たに”103MCARD”というＤＣＦ規格に準拠したフォルダが作成され、画像ファイルはこのフォルダ内にＤＣＦ規格準拠のファイル名に改められてコピーされる。このようにすることで、機器間の再生互換性を高めることが可能となる。
【００３６】
以上の手順を経てファイルのコピーが終了すると、光ディスク１０６に対してファイナライズが実施され、一連の動作が完了する。
【００３７】
なお、上記の説明では、光ディスク１０６の空き容量がメモリカード１０８のコンテンツ容量よりも小さければ、メモリカード１０８内のデータのうち、ディスクカムコーダ１００で再生可能なファイル（本実施形態では主としてＤＣＦ規格に準拠したファイル）を優先して光ディスク１０６にコピーするように説明したが、メモリカード１０８内のファイルのうち、光ディスク１０６内のファイルが記録された日時の範囲内に記録されたファイル、又は光ディスク１０６内のファイルが記録された日時に近い時期に記録されたファイルを優先してコピーするようにしてもよい。
【００３８】
以上説明したように、上記の実施形態によれば、保存用、一時記憶用という異なる役割を持つ複数の記録媒体に分けて記録されたコンテンツを一つにまとめて保存することでユーザの利便性を高めることが可能となる。
【００３９】
また、再書き込み不可能な光ディスクに関して、適切なタイミングでユーザにメモリカードのデータコピーを促すことでユーザの利便性を高めるだけでなく、光ディスクの空き容量を有効に利用することが可能となる。
【００４０】
また、光ディスクの空き容量が十分でない場合には、メモリカード内のデータの中で、そのディスクカムコーダで再生可能なファイルを優先してコピーすることにより、有効性の高いファイルのコピーもれを少なくすることが可能となる。
【００４１】
また、異なる場面で記録されたデータが同一フォルダに混在してしまうのを防ぎ、またファイル名の重複によるデータの消失を防ぐことが可能となる。
【００４２】
また、メモリカード内のデータを光ディスクにコピーするか否かをユーザに判断させることにより、ユーザの意図しないデータを光ディスクに書き込むことを防止でき、利便性を高めることが可能となる。
【００４３】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４５】
本発明を上記記憶媒体に適用する場合、その記憶媒体には、先に説明した手順に対応するプログラムコードが格納されることになる。
【図面の簡単な説明】
【００４６】
【図１】図１は本発明の一実施形態に係わるディスクカムコーダの構成を示したブロック図である。
【図２】ファイナライズ指示を行った際の処理を示したフローチャートである。
【図３】ユーザがファイナライズ操作を指示した際に表示部に表示される、データコピーをするか否かの確認画面を示した図である。
【図４】データをコピーする前のメモリカードおよび光ディスクのファイル構成を示した図である。
【図５】データをコピーした後の光ディスクのファイル構成を示した図である。
【符号の説明】
【００４７】
１００  ディスクカムコーダ
１０１  撮像部
１０２  信号処理部
１０３  フレームメモリ
１０４  ＣＰＵ(中央処理装置)
１０５  ディスクＩ／Ｆ
１０６  光ディスク
１０７  カードＩ／Ｆ
１０８  メモリカード
１０９  動画・静止画コーデック
１１０  操作部
１１１  表示部
【図１】
2006196081.tif 000003
【図２】
2006196081.tif 000004
【図３】
2006196081.tif 000005
【図４】
2006196081.tif 000006
【図５】
2006196081.tif 000007